(57)【要約】【課題】遊技機の前面部に設けられたスピーカの高音質化と良好なメンテナンス性を実現する。【解決手段】パチンコ機１０の前面上部を構成するガラス枠２２のベース１０２裏面に、後面が裏ケース１０６の着脱によって開口及び閉塞される箱体１０４を設け、スピーカ３０は箱体１０４内に配置してベース１０２の裏面１０２Ｂに取り付ける。この箱体１０４内の密閉空間に配置されたスピーカ３０では、箱体１０４によって密閉型エンクロージャが構成されるため、出力音声の高音質化が図られ、裏ケース１０６を取り外すと、箱体１０４の後面側が開放されてスピーカ３０が露出されるため、メンテナンス性が良好なる。【選択図】図５
2007289397.tif 000002
【特許請求の範囲】
【請求項１】
遊技機の前面部を構成するベースと、
前記ベースの裏面に設けられた箱体と、
前記箱体の後壁部を含んで箱体の一部を構成するとともに箱体の他部に対して着脱可能とされたケース部材と、
前記箱体内に配置されて前記ベースの裏面に取り付けられたスピーカと、
を備えた遊技機のスピーカ構造。
【請求項２】
前記ベースの前面に、遊技機を装飾する装飾部材が取り付けられていることを特徴とする請求項１記載の遊技機のスピーカ構造。
【請求項３】
前記スピーカを複数備えるとともに、前記装飾部材は空洞状とされて前記複数のスピーカに対応して配置され、
前記装飾部材内における前記複数のスピーカの間に隔壁が設けられていることを特徴とする請求項１又は請求項２記載の遊技機のスピーカ構造。
【発明の詳細な説明】
【技術分野】
【０００１】
本発明は、遊技機の前面部を構成するベースの裏面に取り付けられたスピーカにおける遊技機のスピーカ構造に関する。
【背景技術】
【０００２】
パチンコ機等の遊技機におけるスピーカ構造（スピーカシステム）としては、遊技機裏側の良好なメンテナンス性を確保しつつ高音質化を図るために、前枠に内部が中空状となるよう形成した装飾部（膨出部）内に、エンクロージャを設けて、平面形スピーカユニットを配設する技術（例えば、特許文献１参照）、あるいは、前枠の上部及び左右両側部に亘って内部が中空状となるよう連続形成した装飾部（膨出部）内全体をエンクロージャとして、平面形スピーカユニットを配設する技術（例えば、特許文献２参照）が提案されている。
【特許文献１】特開２００３−９３６１２号公報
【特許文献２】特開２００３−９３６１３号公報
【発明の開示】
【発明が解決しようとする課題】
【０００３】
しかしながら、上記技術の構成では、前枠を構成する枠本体（ベース）に取り付けた装飾部（膨出部）の内面にスピーカを固定し、エンクロージャの背面を枠本体で構成しているため、スピーカ自体のメンテナンス性が悪化してしまう。
【０００４】
本発明は上記事実を考慮して、遊技機の前面部に設けられたスピーカの高音質化と良好なメンテナンス性を実現できる遊技機のスピーカ構造を提供することを課題とする。
【課題を解決するための手段】
【０００５】
上記課題を解決するために請求項１に記載の発明は、遊技機の前面部を構成するベースと、前記ベースの裏面に設けられた箱体と、前記箱体の後壁部を含んで箱体の一部を構成するとともに箱体の他部に対して着脱可能とされたケース部材と、前記箱体内に配置されて前記ベースの裏面に取り付けられたスピーカと、を備えたことを特徴としている。
【０００６】
請求項１に記載の発明では、遊技機の前面部を構成するベースの裏面に箱体が設けられ、スピーカは箱体内に配置されてベースの裏面に取り付けられる。また箱体は、箱体の後壁部を含んで箱体の一部を構成するケース部材が、箱体の他部に対して着脱可能とされる。
【０００７】
この箱体内に配置されたスピーカでは、箱体によってエンクロージャが構成されるため、出力される音声の高音質化が図られる。また、箱体の後壁部を含むケース部材を取り外すと、箱体の後面側が開放されてスピーカが露出されるため、スピーカのメンテナンス性が良好なる。
【０００８】
請求項２に記載の発明は、請求項１記載の遊技機のスピーカ構造において、前記ベースの前面に、遊技機を装飾する装飾部材が取り付けられていることを特徴としている。
【０００９】
請求項２に記載の発明では、スピーカが裏面に取り付けられたベースに対し、その前面に、ベースとは別体の装飾部材が取り付けられて遊技機が装飾される。
【００１０】
例えば、従来のスピーカ構造のように、スピーカを装飾部（膨出部）の内面に直接固定した構成では、装飾部内にスピーカの設置領域を確保したり、スピーカを固定するための固定部（取付形状）を設けたりする必要が生じ、装飾部の意匠形状が制約を受けてしまうことになる。
【００１１】
これに対し、上記のように、スピーカはベースの裏面に取り付け、装飾部材はベースと別体にしてベースの前面に取り付ける構成であれば、装飾部材内にスピーカの設置領域を確保したり、スピーカを固定するための固定部を設けたりする必要がなくなり、装飾部材の意匠形状の自由度が高められ、遊技機前面の意匠性を向上できる。
【００１２】
請求項３に記載の発明は、請求項１又は請求項２記載の遊技機のスピーカ構造において、前記スピーカを複数備えるとともに、前記装飾部材は空洞状とされて前記複数のスピーカに対応して配置され、前記装飾部材内における前記複数のスピーカの間に隔壁が設けられていることを特徴としている。
【００１３】
請求項３に記載の発明では、ベースの裏面に複数のスピーカが取り付けられ、ベースの前面には、空洞状の装飾部材が複数のスピーカに対応して配置される。このような構成では、複数のスピーカから出力された音声が装飾部材の空洞部（内部空間）で共鳴し、音質低下を招きやすくなるが、この装飾部材内における複数のスピーカの間に、例えば、装飾部材の内面又はベースの前面に、一体的に設ける又は取り付けるなどして、隔壁を設けることにより、上記の共鳴現象が抑制され音質低下を防止できる。
【発明の効果】
【００１４】
本発明の遊技機のスピーカ構造によれば、遊技機の前面部に設けられたスピーカの高音質化と良好なメンテナンス性を実現することができる。
【発明を実施するための最良の形態】
【００１５】
以下、本発明の実施形態に係る遊技機のスピーカ構造について図面を参照して説明する。
【００１６】
（パチンコ機の構成）
図１〜図４には、本発明の一実施形態に係るパチンコ機１０が示されている。図１〜図４に示されるように、パチンコ機１０は、パチンコ機１０の外郭を構成するとともにパチンコホールの島設備に設置される矩形状の外枠１２を備えている。外枠１２の前面には、合成樹脂で矩形額縁状に形成された内枠１４が配置されており（図４参照）、内枠１４の下側となる外枠１２の前面下端部には、パチンコ機１０の前面下端部を構成する合成樹脂製の下飾り１６が取り付けられている。
【００１７】
内枠１４は、外枠１２の左上角部と下飾り１６の左上角部とに設けられた一対のヒンジ部１８、２０に左側端部が軸支されて開閉可能に取り付けられている。内枠１４の前面上部には、パチンコ機１０の前面上部を構成するガラス枠２２が配置されており、ガラス枠２２は、縦長略楕円形の窓部２４にガラス板２６が装着されるとともに、左側端部が内枠１４に軸支されて開閉可能に取り付けられている（図４参照）。
【００１８】
ガラス枠２２の裏面側となる内枠１４の前面上部には、矩形状の開口部１５が形成されている。この内枠１４の開口部１５には、遊技盤Ｇが着脱（交換）可能にセットされており、遊技盤Ｇは、内枠１４に対して閉塞されたガラス枠２２によって覆われ、盤面上に設けられた遊技領域が、パチンコ機１０の正面側から窓部２４のガラス板２６を通して視認可能とされている。
【００１９】
ガラス枠２２の前面には、左右の両側端部に、遊技の進行に応じて点灯、消灯、及び点滅し照明による演出を行う複数の照明演出用のランプ２８が配設されており、左上と右上の各角部近傍に、遊技の進行に応じて効果音をステレオ出力する中高音用のスピーカ３０Ｌ、３０Ｒが内蔵されている。
【００２０】
内枠１４の前面下部には、パチンコ機１０の前面下部を構成する皿ユニット４０が配置されている。皿ユニット４０は、左側端部が内枠１４に軸支されて開閉可能に取り付けられており、前面上部に、打球（遊技球）を貯留して発射装置６０（図２参照）へ供給する上皿４２が突設され、上皿４２の左下に、上皿４２に貯留しきれない遊技球を貯留するための下皿４４が突設されている。
【００２１】
上皿４２は、底面が正面視にて右側から左側へ向けて下り傾斜しており、傾斜方向下流側となる底面の左側に、上皿４２内に貯留された遊技球を１列に整列して発射装置６０へ供給するための整列通路４６が設けられている。上皿４２の奥壁面における右側端部には、内枠１４の裏面に設けられた払出装置６２（図２参照）から払い出された貸し球や賞球が排出される球排出口４８が形成されている。この球排出口４８から排出された貸し球や賞球は、上皿４２に貯留されるとともに、上皿４２内を左方向へ流下し整列通路４６により１列に整列されて発射装置６０へ供給される。また、上皿４２の前面左側に設けられた上皿用球抜きレバー５０を操作すると、整列通路４６の最下流部が開放して、上皿４２に貯留された遊技球が皿ユニット４０内の球通路（図示省略）を通り下皿４４へ流下し、下皿４４の前面下側に設けられた下皿用球抜きレバー５２を操作すると、下皿底面の一部が開放して、下皿４４に貯留された遊技球が下皿４４の下方に配置された球箱（図示省略）へ排出される。
【００２２】
この皿ユニット４０の前面には、右下部に、発射装置６０と電気的に接続されて打球の発射力（飛距離）を調整するための発射ハンドル５４が取り付けられており、左下部に、下皿４４に隣接して灰皿５６が設けられている。また、皿ユニット４０の前面略中央は矩形箱状に膨出しており、内部には、遊技の進行に応じて効果音を出力する重低音用のスピーカ（サブウーハ）５８が設けられている。
【００２３】
図２に示されるように、内枠１４の裏面における開放側（裏面視左側）の側端部には、内枠１４及びガラス枠２２を施錠するための施錠装置６４が取り付けられており、施錠装置６４の下側には、皿ユニット４０をロックするためのロック装置６８が取り付けられている。この施錠装置６４によって、内枠１４が外枠１２に閉塞された状態で施錠されるとともに、ガラス枠２２が内枠１４に閉塞された状態で施錠され、ロック装置６８によって、皿ユニット４０が内枠１４に閉塞された状態でロックされる。また、施錠装置６４の下部に設けられたシリンダー錠（錠前）６６は、皿ユニット４０の前面右上から露出しており、このシリンダー錠６６の鍵孔に鍵（図示省略）を差し込んで開錠操作すると、外枠１２に施錠された内枠１４が開錠されて開放可能となり、内枠１４に施錠されたガラス枠２２が開錠されて開放可能となる。さらに、ガラス枠２２を開放すると露出されるロック装置６８のロック解除レバー（図示省略）を操作すると、内枠１４にロックされていた皿ユニット４０がロック解除されて開放可能となる。
【００２４】
（パチンコ機のスピーカ構造）
次に、上記パチンコ機１０のスピーカ３０に適用された本実施形態に係る遊技機のスピーカ構造について説明する。
【００２５】
図５及び図６には、パチンコ機１０の前面上部を構成するガラス枠２２に設けられた左右のスピーカ３０Ｌ、３０Ｒにおける本実施形態のスピーカ構造１００が示されている。なお、この左右のスピーカ３０Ｌ、３０Ｒは同一構成であるとともに、スピーカ３０Ｌ、３０Ｒの各スピーカ構造１００は、形状が左右反対である他は同一構成であり、図５では左側のスピーカ構造１００を分解状態で示し、右側のスピーカ構造１００を組立状態で示している。また、以下のスピーカ構造１００に関する説明では、スピーカ３０Ｌ、３０Ｒを単に「スピーカ３０」と呼んで説明する。
【００２６】
図５及び図６に示されるように、ガラス枠２２は、ガラス枠２２の本体部（枠本体）を構成するとともに、前述の窓部２４が形成されガラス板２６が装着されたベース１０２を備えている。ベース１０２は、合成樹脂による成形品とされ、裏面１０２Ｂにおける右上及び左上の両角部近傍に、裏面視が横長の略台形状（五角形状）とされた箱体１０４が設けられている。
【００２７】
箱体１０４は、ベース１０２によって形成された略台形状の前壁部１０４Ａ及び前壁部１０４Ａの周縁から後方へ突出されて後面が開口した前側周壁部１０４Ｂと、前側周壁部１０４Ｂの後面に取り付けられる合成樹脂製の裏ケース１０６と、を備えており、裏ケース１０６によって、前側周壁部１０４Ｂに繋がれる後側周壁部１０４Ｃ及び前側周壁部１０４Ｂと対向する略台形状の後壁部１０４Ｄが構成されている。
【００２８】
裏ケース１０６の縁部（角部）近傍における３箇所には、取付孔１０８がそれぞれ形成されている。この３個の取付孔１０８に３本のネジ１１０が挿通され、前壁部１０４Ａに設けられた３個のボス１１２の有底孔１１４にそれぞれ締結されることで、裏ケース１０６は前側周壁部１０４Ｂの後面に取り付けられ、開口部を閉塞する。
【００２９】
スピーカ３０は、箱体１０４の前壁部１０４Ａにおける略中央部にネジ（図示省略）で取り付けられており、取付状態では、前壁部１０４Ａ及び前側周壁部１０４Ｂによって形成される箱体１０４の前側の凹部内にほぼ収容されている。また、前壁部１０４Ａにおけるスピーカ３０の取付部には、スピーカ３０を保護しつつスピーカ３０からの出力音声を前方へ通過させるための多数の小孔からなる通音孔部（図示省略）が形成されており、裏ケース１０６の内側の側壁面における前端部には、スピーカ３０の配線１１８が挿通される溝部１１６が形成されている。
【００３０】
そして、前壁部１０４Ａにスピーカ３０を取り付けてから、前側周壁部１０４Ｂの後面に裏ケース１０６を取り付けて箱体１０４を形成すると、スピーカ３０は箱体１０４内の密閉空間に配置され、この箱体１０４によって密閉型のエンクロージャが構成されている。また、箱体１０４内に収納されたスピーカ３０は、配線１１８が溝部１１６を挿通されて外部に引き出され、配線１１８の先端に設けられたコネクタ１２０が、ベース１０２の裏面１０２Ｂにおける上部中央に取り付けられた中継基板１２２のスピーカ用コネクタ１２４に接続される。スピーカ３０は、内枠１４の裏面に設けられた音声制御基板（図示省略）から出力された電気信号が中継基板１２２を経由して入力されることにより、音声（効果音）を出力する。
【００３１】
一方、ベース１０２の前面１０２Ａには、左右のスピーカ３０（３０Ｌ、３０Ｒ）の取付部を含む上端部領域に、パチンコ機１０の前面を装飾する装飾部材１３０がネジ（図示省略）で取り付けられている。
【００３２】
装飾部材１３０は、合成樹脂による成形品であり、正面視（裏面視）が逆凹状とされて下壁部１３０Ｂの中央領域が窓部２４に沿った略円弧面状とされるとともに、前壁部１３０Ａが左右側端部から中央部へかけて前方へ膨らむ曲面状とされ、内部が空洞で後面が開口した箱状に形成されている。
【００３３】
装飾部材１３０の前壁部１３０Ａにおける左右側部には、スピーカ３０の前方に位置して通音孔部１３２が形成されている。通音孔部１３２は多数の小孔で構成されており、この通音孔部１３２によって、装飾部材１３０内への異物の進入が防止されつつ、スピーカ３０からの出力音声がパチンコ機１０の前方へ通過し、放出される。また、前壁部１３０Ａの裏面における各通音孔部１３２の内側には、上下方向に沿って延出され後方へ突出されたリブ１３４が一体的に設けられている。このリブ１３４により、装飾部材１３０の内部空間は仕切られ、左右側部に配置された音声通過空間と、その音声通過空間の間に配置された略密閉空間とに区画されている。
【００３４】
次に、本実施形態の作用について説明する。
【００３５】
本実施形態に係るパチンコ機１０のスピーカ構造１００では、パチンコ機１０の前面上部を構成するガラス枠２２のベース１０２裏面に箱体１０４が設けられ、スピーカ３０はその箱体１０４内に配置されてベース１０２の裏面１０２Ｂに取り付けられている。また箱体１０４は、箱体１０４の後壁部１０４Ｄを含んで箱体１０４の後部（後壁部１０４Ｄ及び後側周壁部１０４Ｃ）を構成する裏ケース１０６が、箱体１０４の前部（前壁部１０４Ａ及び前側周壁部１０４Ｂ）に対して着脱可能とされている。
【００３６】
この箱体１０４内の密閉空間に配置されたスピーカ３０では、箱体１０４によって密閉型エンクロージャが構成されるため、前方へ出力される正位相の音波が、後方へ出力される逆位相の音波によって打ち消されなくなり、出力音声の高音質化が図られる。
【００３７】
また、裏ケース１０６を取り外すと、箱体１０４の後面側が開放されてスピーカ３０が露出されるため、スピーカ３０のメンテナンス性が良好なる。
【００３８】
また、例えば、従来のスピーカ構造のように、スピーカを装飾部（膨出部）の内面に直接固定した構成では、装飾部内にスピーカの設置領域を確保したり、スピーカを固定するための固定部（取付形状）を設けたりする必要が生じ、装飾部の意匠形状が制約を受けてしまうことになる。
【００３９】
これに対し、本実施形態のスピーカ構造１００のように、スピーカ３０はガラス枠２２のベース１０２の裏面１０２Ｂに取り付け、パチンコ機１０の前面を装飾するための装飾部材１３０はベース１０２と別体にしてベース１０２の前面１０２Ａに取り付ける構成であれば、装飾部材１３０内にスピーカ３０の設置領域を確保したり、スピーカ３０を固定するための固定部を設けたりする必要がなくなり、装飾部材１３０の意匠形状の自由度が高められ、パチンコ機１０前面の意匠性を向上することができる。
【００４０】
また、本実施形態では、ガラス枠２２のベース１０２の裏面１０２Ｂに２つのスピーカ３０（３０Ｌ、３０Ｒ）が取り付けられ、ベース１０２の前面１０２Ａには、空洞状の装飾部材１３０が２つのスピーカ３０に対応して配置される。このような構成では、２つのスピーカ３０から出力された音声が装飾部材１３０の空洞部（内部空間）で共鳴し、音質低下を招きやすくなるが、装飾部材１３０内における２つのスピーカ３０の間には、２つのリブ１３４が設けられていることにより、上記の共鳴現象が抑制され音質低下を防止することができる。
【００４１】
以上、本発明を上述した特定の実施形態により詳細に説明したが、本発明はそれに限定されるものではなく、本発明の範囲内にて他の種々の形態が実施可能である。
【００４２】
例えば、上記の実施形態では、ガラス枠２２のベース１０２裏面に設けるスピーカ３０を密閉型エンクロージャ構造とする箱体１０４について、箱体１０４の前壁部１０４Ａ及び前側周壁部１０４Ｂをベース１０２によって形成し、箱体１０４の後壁部１０４Ｄ及び後側周壁部１０４Ｃを裏ケース１０６によって形成しているが、裏ケースを備える箱体（エンクロージャ）の構成はこれに限定されるものではない。例えば、図７（Ａ）に示されるスピーカ構造１４０のように、箱体１４２の前壁部１４２Ａのみをベース１０２で形成し、箱体１４２の後壁部１４２Ｃ及び周壁部１４２Ｂを裏ケース１４４で形成する、あるいは、図７（Ｂ）に示されるスピーカ構造１５０のように、箱体１５２の前壁部１５２Ａ及び周壁部１５２Ｂをベース１０２で形成し、箱体１５２の後壁部１５２Ｃのみを裏ケース１５４で形成するようにしてもよい。
【００４３】
また本発明は、上述したパチンコ機に限らず、パチスロ機や各種アミューズメント機等の他の遊技機にも適用することができる。
【図面の簡単な説明】
【００４４】
【図１】本発明の一実施形態に係るパチンコ機を示す正面図である。
【図２】本発明の一実施形態に係るパチンコ機を示す背面図である。
【図３】本発明の一実施形態に係るパチンコ機を示す正面側から見た斜視図である。
【図４】本発明の一実施形態に係るパチンコ機のガラス枠が開放された状態を示す正面側から見た斜視図である。
【図５】本発明の一実施形態に係るスピーカ構造が適用されたパチンコ機のガラス枠を示す背面側から見た分解斜視図である。
【図６】本発明の一実施形態に係るスピーカ構造を示す図１の６−６線断面で見た側面断面図である。
【図７】（Ａ）、（Ｂ）は本発明の変形例に係るスピーカ構造を示す側面断面図である。
【符号の説明】
【００４５】
１０        パチンコ機（遊技機）
２２        ガラス枠（遊技機の前面部）
３０        スピーカ
１００      スピーカ構造
１０２      ベース
１０２Ａ    前面
１０２Ｂ    裏面
１０４      箱体
１０４Ａ    前壁部（箱体の他部）
１０４Ｂ    前側周壁部（箱体の他部）
１０４Ｃ    後側周壁部（箱体の一部）
１０４Ｄ    後壁部（箱体の後壁部／箱体の一部）
１０６      裏ケース
１３０      装飾部材
１３４      リブ（隔壁）
１４０      スピーカ構造
１４２      箱体
１４２Ａ    前壁部（箱体の他部）
１４２Ｂ    周壁部（箱体の一部）
１４２Ｃ    後壁部（箱体の後壁部／箱体の一部）
１４４      裏ケース（ケース部材）
１５０      スピーカ構造
１５２      箱体
１５２Ａ    前壁部（箱体の他部）
１５２Ｂ    周壁部（箱体の他部）
１５２Ｃ    後壁部（箱体の後壁部／箱体の一部）
１５４      裏ケース（ケース部材）
【図１】
2007289397.tif 000003
【図２】
2007289397.tif 000004
【図３】
2007289397.tif 000005
【図４】
2007289397.tif 000006
【図５】
2007289397.tif 000007
【図６】
2007289397.tif 000008
【図７】
2007289397.tif 000009